(57)【特許請求の範囲】
【請求項１】
筆記具本体とシール嵌合する環状シール部（３１）を内周面に備えた有底筒体よりなる内筒（３）の外周面と、両端を開放した外筒（２）の内周面とを、軸方向に延びる縦リブ（４）によって空気流通可能に一体に連結した合成樹脂成形体よりなる筆記具等のキャップ（１）であって、外筒（２）の内周面に軸方向に延びる複数本の縦リブ（４）を一体に設け、前記縦リブ（４）によって、外筒（２）の内周面と、環状シール部（３１）の上方の内筒（３）の外周面とを一体に連結し、前記縦リブ（４）間に空気通路（６）を形成し、前記内筒（３）の環状シール部（３１）の外周面と前記外筒（２）の内周面との間に環状の隙間（５）を設け、前記縦リブ（４）の下端を内筒（３）の開口端より下方に延設し、前記縦リブ（４）の下端を上方に向かうに従い内方へ傾斜するテーパ形状にし、前記縦リブ（４）の下端に、ペン先を内方へガイドするガイド部（４１）を形成したことを特徴とする筆記具等のキャップ。
【発明の詳細な説明】
【０００１】
【発明の属する技術分野】
本発明は筆記具等のキャップに関する。  さらに詳細には、万一、幼児等が誤って飲み込んだとしても空気流通を可能とし、窒息を回避する筆記具等のキャップに関する。
【０００２】
【従来の技術】
従来、内筒と外筒とがリブにより一体に連結された通気キャップにおいて、例えば、実開平４−１００８９５号公報には、キャップを飲み込んだ時に空気流通を可能にし、且つ、空気通路にペン先を挿入してペン先を損傷させることを防止する目的で、外キャップ（本願の外筒に相当）の内部に密閉部を有する内キャップ（本願の内筒に相当）をリブ（本願の縦リブに相当）によって一体に連結し、該リブ間に空気通路を形成すると共に、内筒の開口端より下方側に連続に鍔を設け、前記鍔がリブの軸線上に設けられたスリットにより分割されてなる構成が開示されている。
【０００３】
しかし、前記従来のキャップは、外キャップと内キャップの間を空気流通可能に連結するためのリブの構成、及びペン先を内方へガイドするための鍔を設ける構成のため、金型構造を複雑にすると共に、内キャップ内面の筆記具本体とのシール嵌合部に、リブによってヒケ（即ち、不均一な肉厚による成形不良）を発生させ、筆記具本体のペン先の密封を不完全（即ち、気密不良）にするおそれがある。その上、ペン先をキャップ内へ挿入させる際、ペン先を内方へガイドするための鍔の存在によって空気の流通抵抗が増加し、スムーズな空気流通が阻害されるおそれもある。
【０００４】
【発明が解決しようとする課題】
本発明は前記従来の問題点を解決するものであって、金型構造が簡単であり、気密不良を生じさせず、ペン先の損傷を抑え、しかも、スムーズな空気流通が可能な筆記具等のキャップを提供しようとするものである。尚、本願発明において、上とはキャップ閉塞側を示し、下とはキャップ開口側を示す。
【０００５】
【課題を解決するための手段】
（概要）
本発明筆記具等のキャップ１は、筆記具本体とシール嵌合する環状シール部３１を内周面に備えた有底筒体よりなる内筒３の外周面と、両端を開放した外筒２の内周面とを、軸方向に延びる縦リブ４によって空気流通可能に一体に連結した合成樹脂成形体よりなる筆記具等のキャップ１であって、外筒２の内周面に軸方向に延びる複数本の縦リブ４を一体に設け、前記縦リブ４によって、外筒２の内周面と、環状シール部３１の上方の内筒３の外周面とを一体に連結し、前記縦リブ４間に空気通路６を形成し、前記内筒３の環状シール部３１の外周面と前記外筒２の内周面との間に環状の隙間５を設け、前記縦リブ４の下端を内筒３の開口端より下方に延設し、前記縦リブ４の下端を上方に向かうに従い内方へ傾斜するテーパ形状にし、前記縦リブ４の下端に、ペン先を内方へガイドするガイド部４１を形成したこと（請求項１）を要件とする。
【０００６】
外筒２の内周面と、環状シール部３１の上方の内筒３の外周面とを縦リブ４によって一体に連結し、前記内筒３の環状シール部３１の外周面と前記外筒２の内周面との間に環状の隙間５を設けたことによって、環状シール部３１の径方向の肉厚を均一にし、環状シール部３１におけるヒケの発生を抑え、内筒３と筆記具本体とのシール性能を満足させ、内筒３によりペン先を確実に密封できる。
【０００７】
また、前記縦リブ４の下端を、内筒３の開口端より下方に延設したことによって、内筒３の開口端近傍の外周面と、外筒２の内周面の間の環状の隙間５を小さくできる。それにより、ペン先をキャップ１内に挿入させる際、ペン先が、前記縦リブ４の下端に当接すると共に内方へガイドされるため、ペン先が前記環状の隙間５に挿入され破損することを回避できる。即ち、縦リブ４の下端に、ペン先を内方へガイドするガイド部４１を構成できる。
【０００８】
また、前記縦リブ４によって、内筒３の外周面と外筒２の内周面の間の縦リブ４相互間に軸方向の通気通路６を形成すると同時に、ペン先を内方へガイドするガイド部４１を構成したため、ペン先の破損を抑えることは勿論、金型構造が簡易となると同時に、キャップ１内を軸方向に貫通する円滑な空気の流通が可能となる。
【００１０】
ペン先をキャップ１内に挿入させる際、ペン先を縦リブ４の下端に当接させたとしても、前記テーパ形状の下端（即ち、ガイド部４１）に沿ってペン先をスムーズに内筒３内に挿入させることができ、ペン先の損傷を、より一層、回避する。
【００１１】
【発明の実施の形態】
本発明の実施の形態を図面に従って説明する。（図１〜図５参照）
図１は本発明の一実施例を示す縦断面図であり、図２は図１のＡ−Ａ線断面図であり、図３は図１のＢ−Ｂ線断面図であり、図４は図１の平面図であり、図５は図１の底面図である。
【００１２】
キャップ１は合成樹脂（例えばポリプロピレン）の射出成形体からなり、両端が開口した外筒２の内周面と、有底筒体よりなる内筒３の外周面とが、複数の縦リブ４により一体に連結されてなる。前記縦リブ４間には、軸方向の通気通路６が形成されている。
【００１３】
前記外筒２は、両端が軸方向に開口した円筒状体であり、その内周面に、軸方向に延びる複数本（具体的には１６本）の縦リブ４が一体に突設されている。一方、前記内筒３は、一端が閉鎖され他端が開口した円筒状有底筒体であり、開口端近傍の内周面に、環状突起よりなる環状シール部３１が一体に突設されている。
【００１４】
前記縦リブ４は、内筒３の環状シール部３１より上方位置（即ち、環状シール部３１を避ける位置）の外周面と、外筒２の内周面とに接続している。即ち、前記環状シール部３１の外周面には、縦リブ４は形成されず、環状の隙間５が形成されるため、環状シール部３１の径方向の肉厚を均一にすることができ、環状シール部３１に成形時のヒケを生じさせない。
【００１５】
前記縦リブ４の下端は、軸方向下方に延設され、内筒３の開口端より下方位置（即ち、内筒３の開口端と外筒２の開口端の間）の外筒２の内周面に位置している。前記縦リブ４の全ての下端は、軸方向上方に向かうに従って径方向内方へ傾斜するテーパ状に形成され、ペン先が当接した際のペン先を内方へガイドするガイド部４１となっている。また、前記縦リブ４と縦リブ４の間の隙間は、ペン先の外径より十分に小さく設定されているため、そこにペン先を突き入れて破損させてしまうことがない。
【００１６】
また、前記外筒２の内周面の、前記縦リブ４の下方には、４個の面状突起２１が一体に形成されている。前記面状突起２１は、筆記具本体のペン先側と嵌合した際のキャップ１のぐらつきを防止したり、筆記具本体の尾端側に後ろ差し嵌合した際の嵌合部となる。
【００１７】
尚、本発明のキャップ１を構成する合成樹脂材料としては、例えば、ポリプロピレン、ポリエチレン、ポリカーボネート、ポリエチレンテレフタレート等が挙げられる。
【００１８】
尚、本発明のキャップ１は、例えば、マーキングペン、サインペン、ボールペン、パイプペン、万年筆等の筆記具、あるいは、修正液、化粧液、接着剤等の塗布具に適用可能である。
【００１９】
【発明の効果】
本発明の筆記具等のキャップは、請求項１の構成にしたことにより、金型構造が簡単となり、気密不良を生じさせず、ペン先の損傷を抑え、しかもスムーズな空気流通が可能となる。
【００２０】
本発明の筆記具等のキャップは、請求項１の構成にしたことにより、より一層、ペン先の挿入性を向上させ、ペン先の損傷を回避できる。
【図面の簡単な説明】
【図１】本発明の筆記具等のキャップの一実施例を示す縦断面図である。
【図２】図１のＡ−Ａ線に沿う断面図である。
【図３】図１のＢ−Ｂ線に沿う断面図である。
【図４】図１の平面図である。
【図５】図１の底面図である。
【符号の説明】
１  キャップ
２  外筒
２１  面状突起
３  内筒
３１  環状シール部
４  縦リブ
４１  ガイド部
５  環状の隙間
６  空気通路
【図１】
0003865902.tif 000002
【図２】
0003865902.tif 000003
【図３】
0003865902.tif 000004
【図４】
0003865902.tif 000005
【図５】
0003865902.tif 000006